(57)【要約】【課題】  情報記録媒体を貼付した印刷物における貼付個所のふくらみを防止する。【解決手段】  ジョブシート３へ印刷を施す印刷機構１と、該印刷機構へ外部からジョブシートを供給するための給紙口１７に接続される供給機構２と、前記印刷機構から排紙されたジョブシートの一部を切断、除去するカット機構４と、前記印刷機構から送り出されたされたジョブシートを所定形状に形成するブックレット機構５と、前記ジョブシートの少なくとも一部に情報記録媒体６を貼付する貼付機構７とから構成されてなり、これら印刷機構、供給機構、カット機構、ブックレット機構、および貼付機構が直列に配置されたことを特徴とする画像形成装置。【選択図】  図１
2005070361.tif 000002
【特許請求の範囲】
【請求項１】
ジョブシートへ印刷を施す印刷機構と、該印刷機構へ外部からジョブシートを供給するための給紙口に接続される供給機構と、前記印刷機構から排紙されたジョブシートの一部を切断、除去するカット機構と、前記印刷機構から送り出されたされたジョブシートを所定形状に形成するブックレット機構と、前記ジョブシートの少なくとも一部に情報記録媒体を貼付する貼付機構と、から構成されてなり、これら印刷機構、供給機構、カット機構、ブックレット機構、および貼付機構が直列に配置されたことを特徴とする画像形成装置。
【請求項２】
前記貼付機構の下流側に、前記情報記録媒体へ所定の情報を書き込む書き込み機構を設けたことを特徴とする請求項１記載の画像形成装置。
【請求項３】
前記供給機構は、前記ジョブシートを集積状態で格納し、前記給紙口へ一枚ずつ送り出すことを特徴とする請求項１または２のいずれかに記載の画像形成装置。
【請求項４】
前記印刷機構、供給機構、カット機構、ブックレット機構、および貼付機構は、共通の台上に配置され、前記供給機構は、シートの送り方向に沿って移動可能に配置されたことを特徴とする請求項１ないし３のいずれか一に記載の画像形成装置。
【請求項５】
前記印刷機構は、光書込手段によって感光体に静電潜像を形成し、該静電潜像を顕像化して前記ジョブシートに転写するものであって、前記光書込手段より下方の位置に、前記印刷機構を制御する制御基板を設け、該制御基板と前記光書込手段との間に、前記制御基板を遮蔽する遮蔽板を設けたことを特徴とする請求項１ないし４のいずれか一に記載の画像形成装置。
【請求項６】
前記ブックレット機構は、前記ジョブシートと交差する方向へ動作することにより、前記ジョブシートを折り目を介して重ね合わせ状態に成型し、前記カット機構は、前記ジョブシートの互いに重ね合わされる領域のいずれか一方の一部を切断し、前記貼付機構は、いずれか他方の領域における、前記切断領域に対応する部分に前記記録媒体を貼付することを特徴とする請求項１ないし５のいずれか一に記載の画像形成装置。
【発明の詳細な説明】
【技術分野】
【０００１】
本発明は、画像形成装置に係り、特に、ジョブシートに情報記録媒体を貼付しつつ印刷を行う場合に好適な画像形成装置に関する。
【背景技術】
【０００２】
近年、プリンタ等で用いられるジョブシートに貼付することを目的として、特許文献１に記載されたような薄型情報機器（具体的にはＩＣチップ）が提案されている。
【０００３】
また、特許文献２、３に記載されているように、上記薄型ＩＣチップをジョブシートとしての通帳などに貼付し、このＩＣチップに前記通帳などの関連した情報を記憶させる技術が提案されている。
【特許文献１】特開２０００−９１４９４号公報
【特許文献２】特開２０００−２８９３７３号公報
【特許文献３】特開２０００−３０１８６１号公報
【発明の開示】
【発明が解決しようとする課題】
【０００４】
しかしながら、前記薄型ＩＣチップを効率良くジョブシートに貼付する具体的な装置は未だ開発されていない。また前記ＩＣチップは、いかに薄型とは云え、現実には１００〜２００μｍ程度の厚さを有するから、これが貼付されたジョブシートは、貼付個所が他の部分より厚くなるため、複数枚重ねた状態において、ＩＣチップ貼付個所が盛り上がってしまうことが避けられない。したがって、前記ＩＣチップ貼付の自動化に一般的なラベル貼付装置を単純に適用することができないという問題がある。
【０００５】
本発明はこのような問題を解決するためになされたもので、その目的は、ジョブシートに能率的に情報記録媒体を貼付することができ、かつ情報記録媒体の厚さに応じてジョブシートを適切に加工することを目的とするものである。
【課題を解決するための手段】
【０００６】
上記目的を達成するため、本発明の画像形成装置は、ジョブシートへ印刷を施す印刷機構と、該印刷機構へ外部からジョブシートを供給するための給紙口に接続される供給機構と、前記印刷機構から排紙されたジョブシートの一部を切断、除去するカット機構と、前記印刷機構から排紙されたジョブシートを所定枚数重ねた状態で一体化するブックレット機構と、前記ジョブシートの少なくとも一部にう情報記録媒体を貼付する貼付機構と、から構成されてなり、これら印刷機構、供給機構、カット機構、ブックレット機構、および貼付機構が直列に配置されたことを特徴とする。
また本発明は、前記貼付機構の下流側に、前記情報記録媒体へ所定の情報を書き込む書き込み機構を設けたことを特徴とする。
また本発明は、前記供給機構が前記ジョブシートを集積状態で格納し、前記給紙口へ一枚ずつ送り出すことを特徴とする。
また本発明は、前記印刷機構、供給機構、カット機構、ブックレット機構、および貼付機構が共通の台上に配置され、前記供給機構がシートの送り方向に沿って移動可能に配置されたことを特徴とする。
【０００７】
前記印刷機構は、光書込手段によって静電潜像が形成される感光体と、該感光体に形成された静電潜像を顕像化して前記ジョブシートに転写する転写機構とを備え、前記光書込手段より下方の位置に、前記印刷機構を制御する制御基板を設け、該制御基板と前記光書込手段との間に、前記制御基板を遮蔽する遮蔽板を設けたことを特徴とする。
前記ブックレット機構は、前記ジョブシートと交差する方向へ動作することにより、前記ジョブシートを折り目を介して重ね合わせ状態に成型し、前記カット機構は、前記ジョブシートの互いに重ね合わされる領域のいずれか一方の一部を切断し、前記貼付機構は、いずれか他方の領域における、前記切断領域に対応する部分に前記記録媒体を貼付することを特徴とする。
【発明の効果】
【０００８】
本発明によれば、印刷機構の下流にカッタ機構を設けてジョブシートの一部を切断して除去するようにしたから、情報記録媒体が貼付されたジョブシートを他のジョブシートと重ねた場合であっても、情報記録媒体が貼付された領域が膨らむことがなく、自然な外観の印刷物を得ることができる。
また、印刷機構に設けられた手差給紙用の供給口に対して近接あるいは離間可能に供給機構を設け、この供給機構から印刷機構へジョブシートを供給するようにしたから、一般的な構成とされた印刷機構に対して、情報記録媒体を貼付することを前提とした特殊なジョブシートを必要に応じて供給することができる。
また、印刷機構を構成する光書込手段より下方の位置に遮蔽板を設けたから、印刷機構の下部に制御部を配置することにより、印刷機構内のジョブシートの移動経路配置の自由度を高めることができる。
【発明を実施するための最良の形態】
【０００９】
以下、本発明の実施形態を説明する。
図１は一実施形態の画像形成装置を示すもので、符号Ｂは共通ベースである。この共通ベースＢ上に設けられた印刷機構１は、供給機構２から供給されたジョブシート３に所定の画像を印刷する。前記共通ベースＢにおける印刷機構１の下流の位置には、ジョブシート３の一部を切断、除去するカット機構４、該カット機構４の下流で所定枚数のジョブシート３を二つ折りに重ねた状態として、その中央の折り目部分でステイプラ等を用いて綴じて一体化するブックレット機構５、該ブックレット機構５による処理を経たジョブシート３に薄型のＩＣチップ等の情報記録媒体６を貼付する貼付機構７、貼付された情報記録媒体６に所定の情報を書き込む書込機構８が設けられている。
【００１０】
前記印刷機構１は、ジョブシート３を水平に移動させる搬送経路１０を備えており、この搬送経路１０は、搬送ローラ１１，１１、および１２，１２の間にジョブシート３を挟持して図一の左方へジョブシートを搬送する。なお、必要に応じて、搬送経路１０に沿った搬送面を有するベルトコンベア機構や、案内板を設けても良い。前記搬送ローラ１１と１２との間には、回転ドラムからなる感光体１３が設けられている。この感光体１３は、画像形成手段１４によって形成された潜像画像を顕像化し、受けローラ１５との間を通過するジョブシート３に所定の画像を転写する。なお感光体１の下流には図示しない画像定着手段が設けられていて、ジョブシート３を加熱することにより、その表面に画像を定着させるようになっている。
【００１１】
前記感光体１３と受けローラ１５との間には、機内給紙部１６、または手差し給紙部１７からジョブシート３が供給されるようになっている。また符号Ｓはセンサであって、このセンサＳは、ジョブシート３の通過タイミングを検出し、このタイミングに基づいてジョブシート３の送り速度と感光体１３の回転速度とを調整することにより、印刷位置を制御するようになっている。
【００１２】
前記機内給紙部１６の下方には、金属等の導電体からなる遮蔽板１８が設けられており、この遮蔽板１８より下方の領域に、画像形成装置を制御する制御部１９が設けられている。すなわち、前記感光体１３、画像形成手段１４、あるいは、送りローラを駆動するモータ等のノイズ発生源から遮蔽された位置に前記制御部１９が設けられている。
【００１３】
前記供給機構２は、昇降台２０上にジョブシート３を集積状態で収容するもので、上部には、押さえローラ２１と、揺動自在なアーム２２に支持された繰り出しローラ２３とが設けられている。前記押さえローラ２３は、最上部のジョブシート３を押さえながら回転することにより、前記印刷機構１の手差し給紙口１７へジョブシート３を水平に送り出すようになっている。また前記昇降台２０は、ジョブシート３の集積数の減少に応じて上昇することにより、最上部のジョブシート３の位置を所定の高さに維持するよう制御されている。
【００１４】
前記供給機構２は、前記ベースＢ上に設けられたレール２４上に支持されて図中左右方向へ移動可能とされている。すなわち、供給機構２は、印刷機構１へジョブシート３を供給するために手差し給紙口１７に近接した位置、または、手差し給紙を可能とべく手差し給紙口１７から離れた位置の間で前記レール２４上を移動できるようになっている。
【００１５】
前記印刷機構１の下流位置には、カット機構４が設けられている。このカット機構４は、ジョブシート３へ刃物を交差させることにより、ジョブシート３の一部３を除去するようになっている。
【００１６】
前記カット機構４の下流位置には、ジョブシート３を二つ折りにするための折り目を形成するとともに、この折り目の部分等をステイプラ等の手段により綴じてばらばらの状態のジョブシート３を一体に綴じるブックレット機構５が設けられている。
【００１７】
前記ブックレット機構５の下流位置には、前記情報記録媒体６をジョブシート３に貼付する貼付機構７が設けられている。この貼付機構７は、ベルトによって搬送される情報記憶媒体６を押さえローラ３０と受けローラ３１との間に送り込んでジョブシート３の表面に圧着するようになっている。
【００１８】
上記ジョブシート３は、具体的には、図２（ａ）ないし（ｃ）に示すような構成となっている。すなわち、ジョブシート３は、二つ折りされることによって表表紙４０と裏表紙４１となるもので、その裏表紙４１の一方の側部には磁気情報が書き込まれる磁気ストライプ４２が形成され、また、裏表紙４１の一の隅部には情報記録媒体６を貼付するための領域４３が設けられている。またジョブシート３は、図２（ａ）に示すように表表紙と裏表紙とのみとからなる構成の他、図２（ｂ）に示すように、表表紙４０と裏表紙４１との間に本体部を有する構成としても良い。さらに、前記表表紙部４０、および、二つ折り状態にて前記領域４３と重なる本体部の一部の領域は、前記カッタ機構４によって切断、除去されるべき領域４４となっている。なお、前記情報記録媒体６を貼付すべき領域４３は、裏表紙４１に限られるものではなく、図２（ｃ）に示すように、表表紙および裏表紙となる用紙に重ねられた本体部の用紙の内、最も上に位置する面であっても良い。この場合、該領域４３が設けられていない側の隅部を切断すべき領域４４とした構成とすることにより、このジョブシートを二つ折りにした状態にて、情報記録媒体６を領域４３へ貼付することによってふくらみが生じることを防止することができる。
【００１９】
前記貼付機構７の下流には、情報書込機構８が設けられており、この情報書込機構８は、書込ヘッド３２によって、上流から送り込まれたジョブシート３に貼付された情報記録媒体６に所定のデータ、例えば、各情報記録媒体６毎に付与されるシリアルナンバーなどのデータを書き込んで下流に送り出すようになっている。
【００２０】
以上のように構成された画像形成装置の動作を説明する。
ジョブシート３は、折り目を付けない状態で給紙部２に集積されている。供給機構２をレール２４上で移動させて手差給紙口１７と向き合う位置に移動させると、準備が完了する。
スタート操作により、繰り出しローラ２３が回転してジョブシート３を一枚ずつ（あるいは所定のまとまった枚数毎に）手差し給紙口１７へ送り込むと、ジョブシート３の通過がセンサＳによって検出される。一方、感光体１３には、画像形成装置１４によって潜像画像が形成され、さらに、ジョブシート３に転写すべき顕像画像が形成される。そして、前記センサＳによって検出された通過タイミングとジョブシート３の寸法とに基づき、感光体１３の回転と送りローラ１１の回転とを制御することにより、感光体１３と受けローラ１５との間に送り込まれたジョブシート３に感光体１３から画像が転写され、さらに、図示しない定着機構によって画像が定着される。
【００２１】
この画像形成工程において、画像の形成やモータの回転等によって発生するノイズは、遮蔽板１８によって遮断されることとなり、したがって、制御部１９が前記ノイズの影響を受けることが防止される。
【００２２】
画像が印刷されたジョブシート１３は、送りローラ１２によってカッタ機構４へ送り込まれ、カッタ機構４の動作によって領域４４が切断、除去される。さらに、ブックレット機構５へ送り込まれ、例えば図２（ｃ）に示すように二つ折り可能にするための折り目が付けられるとともに、ステイプラ等の手段によって一体化される。
【００２３】
さらに、貼付機構７において、押さえローラ３０と受けローラ３１との間を通過することにより、領域４３へ情報記録媒体６が貼付され、さらに、情報書込機構８によって所定の情報が書き込まれると、一回の印刷動作が終了する。
【００２４】
以下、前記昇降台２０をジョブシート３の厚さに応じて上昇させながら前述の動作を繰り返すことにより、供給機構２内のジョブシート３に次々に印刷および情報記録媒体６の貼付が行われる。
【００２５】
上記供給機構２を用いた印刷が終了し、供給機構２をレール２４上で移動させて手差し給紙口１７から離間させると、通常の印刷状態となる。すなわち、機能給紙部１６に収容されたジョブシートに対しての印刷が可能となる。なお、この通常の印刷状態においては、前記カッタ機構４、ブックレット機構５，貼付機構７，情報書込機構８等を動作させることなく、図１の左方へジョブシート３を送り出すようにしても、印刷機構１内に設けられた図示しない搬送機構を用いて、例えば印刷機構１の上面から印刷済みのジョブシート３を送り出すようにしてもよい。
【００２６】
なお、印刷機構で行われる印刷工程、あるいは、装置各部におけるジョブシート搬送経路の具体的態様が上記実施形態に限定されるものでないのはもちろんです。また、本装置によって印刷されるジョブシートの具体的構成が実施形態に限定されるものでないのはもちろんである。
【図面の簡単な説明】
【００２７】
【図１】一実施形態の側面図である。
【図２】ジョブシートの構成例を示す斜視図である。
【符号の説明】
【００２８】
１  印刷機構          ２  供給機構            ３  ジョブシート
４  カット機構        ５  ブックレット機構    ６  情報記録媒体
７  貼付機構          ８  書き込み機構        １０  搬送経路
１３  感光ドラム      １４  光書込手段        １７  給紙口
１８  遮蔽板          １９  制御部            ２４  レール
４０  表表紙          ４１  裏表紙            ４３  ４４  領域
Ｂ  共通ベース
【図１】
2005070361.tif 000003
【図２】
2005070361.tif 000004